(57)【要約】【課題】本発明は、リクライニング機構を備えるベッドにも適用する場合にも被看護者が利用しやすい位置に臨床機器を保持することのできるクリップテーブルを提供する。【解決手段】クリップテーブル１は、マットレス５０の表側５０ａに少なくとも一部を接して配置される天板２と、マットレス５０の裏側５０ｂに少なくとも一部を接して配置される底板３と、天板２と底板３とを連結する側板４と、天板２から側板４までの範囲の外面２ａ，４ａの一部に設けられて臨床機器の一例である呼出子機１１及びインターホン１２が保持される機器装着部５とを有する。【選択図】図１
2005073738.tif 000002
【特許請求の範囲】
【請求項１】
マットレスの表側に少なくとも一部を接して配置される天板と、
前記マットレスの裏側に少なくとも一部を接して配置される底板と、
前記天板と前記底板とを連結する側板と、
前記天板から前記側板までの範囲の外面の一部に設けられて臨床機器が固定される機器装着部とを有することを特徴とするクリップテーブル。
【請求項２】
マットレスの表側に少なくとも一部を接して配置される天板と、
前記マットレスの裏側に少なくとも一部を接して配置される底板と、
前記天板と前記底板との間の距離を変化させる調整機構と、
前記天板から前記調整機構までの範囲の外面の一部に設けられて臨床機器が固定される機器装着部とを備えることを特徴とするクリップテーブル。
【請求項３】
前記調整機構は、前記天板から前記底板に向かって延びて断面が鋸波形の係合部を前記マットレスに面した側に有する係合片と、前記底板から前記天板に向かって延びて断面が鋸波形の受部を前記係合部に面する内側面に有する差込部と、前記係合片を前記差込部に差し込んだ状態で前記係合片と前記差込部との間に生じる隙間に挿入される楔片とを備えることを特徴とする請求項２に記載のクリップテーブル。
【請求項４】
前記調整機構は、前記天板から前記底板に向かって延びる第１締結片と、前記底板から前記天板に向かって延びる第２締結片と、前記第１締結片と前記第２締結片とを重ね合わせた状態で前記マットレスに近い方に設けられる植込みボルトと、前記第１締結片と前記第２締結片とを重ね合わせた状態で前記マットレスから遠い方に設けられて前記植込みボルトが挿通される長孔と、前記植込みボルトの先端に螺合されて前記第１締結片と前記第２締結片とを固定する締付部材とを備えることを特徴とする請求項２に記載のクリップテーブル。
【請求項５】
少なくとも前記マットレスに接する一部に摩擦係数の高い滑止部材を設けることを特徴とする請求項１から請求項４のいずれか１項に記載のクリップテーブル。
【請求項６】
前記滑止部材は、ゴム、ポリウレタン樹脂エラストマ、発砲ポリウレタンエラストマ、シリコーン樹脂エラストマの中から選択されるいずれか１つの材質であることを特徴とする請求項５に記載のクリップテーブル。
【請求項７】
被看護者が看護者を呼び出すために用いられる呼出装置のうち被看護者側に設置される呼出子機において、
マットレスの表側に少なくとも一部を接して配置される天板と、
前記マットレスの裏側に少なくとも一部を接して配置される底板と、
前記天板と前記底板とを連結する側板と、
前記天板から前記側板までの範囲の外面の一部に基部が固定されるとともに操作部を有する先端部が前記被看護者の周辺に位置決めされるスイッチとを備えることを特徴とする呼出子機。
【請求項８】
被看護者が看護者を呼び出すために用いられる呼出装置のうち被看護者側に設置される呼出子機において、
マットレスの表側に少なくとも一部を接して配置される天板と、
前記マットレスの裏側に少なくとも一部を接して配置される底板と、
前記天板と前記底板との間の距離を変化させる調整機構と、
前記天板から前記調整機構までの範囲の外面の一部に基部が固定されるとともに操作部を有する先端部が前記被看護者の周辺に位置決めされるスイッチとを備えることを特徴とする呼出子機。
【請求項９】
前記調整機構は、前記天板から前記底板に向かって延びて前記マットレスに面した側に断面が鋸波形の係合部を有する係合片と、前記底板から前記天板に向かって延びて前記係合部と嵌合する断面が鋸波型の受部を内面に有する差込部と、前記係合片を前記差込部に差し込んだ状態で前記係合片と前記差込部との間に生じる隙間に挿入される楔片とを備えることを特徴とする請求項８に記載の呼出子機。
【請求項１０】
前記スイッチは、押しボタン式、接触検知式、吐息圧力検知式、音声検知式のいずれか１つであることを特徴等する請求項７から請求項９のいずれか１項に記載の呼出子機。
【発明の詳細な説明】
【技術分野】
【０００１】
本発明は、ベッドのマットレスに装着されて臨床機器を保持するクリップテーブル、及びベッドのマットレスに固定される呼出子機に関する。
【背景技術】
【０００２】
被看護者が看護者を呼び出すために用いられる呼出装置のうち被看護者側に設置される呼出子機がある。呼出子機には、被看護者の様態に応じて様々な形態のものがある。ベッドの上で身動きの取れる被看護者には、呼出装置の親機に有線で接続された押しボタン式のスイッチを備える呼出子機が用いられることが多い。押しボタン指揮の呼出子機の場合、枕元に置いたりベッドの頭側のフレームに掛けておいたりするなど被看護者が容易に手の届くところに配置される。
【０００３】
一方、ベッドの上で押しボタン式の呼出子機の操作が困難な被看護者に対しては、接触検知式、吐息検知式、音声検知式などのスイッチ（センサ）を備える呼出子機が用いられる（例えば、特許文献１参照。）。この呼出子機は、枕の下に差し込まれる敷板とこの敷板にコントロールボックスを載置するための取付台とを備える。各センサの検知部は、被看護者が操作できる位置に自在アームでセットされる。
【０００４】
また、睡眠中に枕が移動しないように敷布団やマットレスに枕を面ファスナ、チャックボタンとボタン孔、ホック、クリップ、紐の少なくとも１つで保持させる枕取付具がある（例えば、特許文献２参照。）。この枕取付具は、リクライニング機構を備えるベッドや椅子に適用することで、上体を起した場合でも枕がずり落ちない。また、枕保持部の脇には、ポケットが設けられ、リクライニング機構のリモコンのほか、テレビやエアコンなどのリモコンを入れておくことで、これらのリモコンを枕元に保持している。
【特許文献１】特開平８-１１７２９６号公報
【特許文献２】特開平１１-１０３９９３号公報
【発明の開示】
【発明が解決しようとする課題】
【０００５】
しかしながら、枕の下に敷板を差し込んでスイッチを被看護者の操作可能範囲に設置する呼出子機の場合、敷板は、枕及び被看護者の頭の重みで押えられているだけである。したがって、何かの拍子に枕が動いたり、頭を動かしたりすると、被看護者が利用しやすい位置から呼出子機のスイッチがずれてしまう。また、呼出子機の重さで敷板が枕とマットレスとの間から滑ってずり落ちてしまうので、リクライニング機構を有したベッドに適用することができない。
【０００６】
一方、敷布団やマットレスの表地、あるいはこれらのカバーに枕を保持するように呼出子機を枕元に取り付ける場合、リクライニング機構を有したベッドに適用しても呼出子機がずり落ちることはないが、呼出子機の重みで敷布団やマットレスの表地、或いはこれらのカバーが撚れてしまい、被看護者が利用しやすい位置からスイッチがずれてしまう。また、枕元にあると分かっていても、緊急時には視認できる範囲にないと、被看護者にとって不安感が募る。
【０００７】
呼出子機をベッドサイドに置かれたスタンドに固定する場合もあるが、スタンドは、容易に移動させることができるため、見舞い客が不用意に触れて移動させてしまう場合がある。そして、リクライニング機構を備えるベッドを利用している場合、上体の角度を変える毎に呼出子機の位置を調整しなければならない。また、リクライニング機構を備えるベッドの頭側のフレームに呼出子機を固定する場合、同様に状態の位置を変える毎に呼出子機の位置を調整しなければならない。
【０００８】
そこで、本発明は、リクライニング機構を備えるベッドにも適用する場合にも被看護者が利用しやすい位置に臨床機器を保持することのできるクリップテーブル、及びスイッチを被看護者が利用しやすい位置に設置できる呼出子機を提供することを目的とする。
【課題を解決するための手段】
【０００９】
本発明に係るクリップテーブルは、マットレスの表側に少なくとも一部を接して配置される天板と、マットレスの裏側に少なくとも一部を接して配置される底板と、天板と底板とを連結する側板と、天板から前記側板までの範囲の外面の一部に設けられて臨床機器が固定される機器装着部とを有する。
【００１０】
または、マットレスの表側に少なくとも一部を接して配置される天板と、マットレスの裏側に少なくとも一部を接して配置される底板と、天板と底板との間の距離を変化させる調整機構と、天板から調整機構までの範囲の外面の一部に設けられて臨床機器が固定される機器装着部とを備えるクリップテーブルとする。
【００１１】
ここでいう臨床機器とは、呼出装置の呼出子機、呼出装置の親機に通じるインターホン、リクライニング機構などを備える多機能ベッドのリモコンのほか、点滴中のチューブ、酸素供給用のチューブ、心電計測用のコード、ペースメーカ用のコードを含めたものを指す。また、室内及び枕元の照明用のリモコン、テレビ用またはオーディオ用のリモコンであってもよい。
【００１２】
この場合、調整機構は、天板から底板に向かって延びて断面が鋸波形の係合部をマットレスに面した側に有する係合片と、底板から天板に向かって延びて断面が鋸波形の受部を係合部に面する内側面に有する差込部と、係合片を差込部に差し込んだ状態で係合片と差込部との間に生じる隙間に挿入される楔片とを備える。または、調整機構は、天板から底板に向かって延びる第１締結片と、底板から天板に向かって延びる第２締結片と、第１締結片と第２締結片とを重ね合わせた状態でマットレスに近い方に設けられる植込みボルトと、第１締結片と第２締結片とを重ね合わせた状態でマットレスに遠い方に設けられて植込みボルトが挿通される長孔と、植込みボルトの先端に螺合されて第１締結片と第２締結片とを固定する締付部材とを備える。
【００１３】
また、ずり落ちることを防止するために、天板と底板と側板との少なくともマットレスに接する一部に摩擦係数の高い滑止部材を設ける。滑止部材は、ゴム、ポリウレタン樹脂エラストマ、発砲ポリウレタンエラストマ、シリコーン樹脂エラストマの中から選択されるいずれか１つの材質である。
【００１４】
本発明に係る呼出子機は、被看護者が看護者を呼び出すために用いられる呼出装置のうち被看護者側に設置される呼出子機を前提とする。そして、マットレスの表側に少なくとも一部を接して配置される天板と、マットレスの裏側に少なくとも一部を接して配置される底板と、天板と底板とを連結する側板と、天板から側板までの外面の一部に基部が固定されるとともに操作部を有する先端部が被看護者の周辺に位置決めされるスイッチとを備える。
【００１５】
または、マットレスの表側に少なくとも一部を接して配置される天板と、マットレスの裏側に少なくとも一部を接して配置される底板と、天板と底板との間の距離を変化させる調整機構と、天板から調整機構までの範囲の外面の一部に基部が固定されるとともに操作部を有する先端部が被看護者の周辺に位置決めされるスイッチとを備える。
【００１６】
この場合、調整機構は、天板から底板に向かって延びて前記マットレスに面した側に断面が鋸波形の係合部を有する係合片と、底板から天板に向かって延びて係合部と嵌合する断面が鋸波型の受部を内面に有する差込部と、係合片を差込部に差し込んだ状態で係合片と差込部との間に生じる隙間に挿入される楔片とを備える。
【００１７】
また、スイッチは、押しボタン式、接触検知式、吐息圧力検知式、音声検知式のいずれか１つとする。
【発明の効果】
【００１８】
本発明に係るクリップテーブルによれば、マットレスに対してしっかりと固定される。その結果、リクライニング機構を備えたベッドに適用し、上体を起したり寝せたりした場合でも、ベッドに横たわる被看護者に対して同じ位置に臨床機器を保持することができる。したがって、臨床機器のケーブルやチューブが煩雑にならないので、特に、呼出子機をクリップテーブルに取付けておく場合、被看護者は、呼出子機の在り処が分かっているので安心感が得られ、緊急時にもパニックに陥ることがない。
【００１９】
調整機構を備える本発明のクリップテーブルによれば、天板と底板の距離を変化させることができる。したがって、厚さの異なるマットレスにも固定することができ、汎用性に優れている。また、滑止部材を少なくともマットレスに接する一部に設けた本発明のクリップテーブルによれば、マットレスに対してずれ難くなり、より確かに固定することができる。
【００２０】
本発明に係る呼出子機によれば、マットレスに対してしっかりと固定されるので、ベッドに横たわる被看護者に対して、操作部が先端部に設けられたスイッチを被看護者の周辺に位置決めすることができる。特に、重度の被看護者にとって、より操作しやすい位置に呼出子機のスイッチがあることがより高い安心感に繋がる。したがって、被看護者は、呼出子機の在り処が分かっているので安心感が得られ、緊急時にもパニックに陥ることがない。
【００２１】
また、調整機構を備える本発明の呼出子機によれば、厚さの異なるマットレスにも固定することができ、汎用性に優れている。
【発明を実施するための最良の形態】
【００２２】
本発明に係る第１の実施形態のクリップテーブル１について、図１及び図３を参照して説明する。図１に示すクリップテーブル１は、天板２と底板３と側板４とを備える。天板２は、マットレス５０の表側（上側）５０ａに密着するように配置される。底板３は、マットレス５０の裏側（下側）５０ｂに密着するように配置される。側板４は、マットレス５０の厚さよりもやや狭い距離に天板２と底板３とを一体に連結している。
【００２３】
マットレス５０と接していない天板２の外面２ａには、臨床機器を固定する機器装着部５が設けられている。ここでいう臨床機器とは、呼出装置の呼出子機１１、呼出装置の親機に通じるインターホン１２、リクライニング機構などを備える多機能ベッドのリモコンのほか、点滴中のチューブ、酸素供給用のチューブ、心電計測用のコード、ペースメーカ及びそのコードを含めたものを指す。また、室内及び枕元の照明用のリモコン、テレビ・ビデオ用またはオーディオ用のリモコンであってもよい。
【００２４】
図１では、臨床機器の代表として、呼出装置の呼出子機１１及び親機に通じるインターホン１２を取り付ける状態を例示している。呼出子機１１は、押しボタン式であって、インターホン１２の脇に設けられたホルダ１２ａに保持されている。呼出子機１１は、押しボタン式のほか、四肢の自由度の少ない重度の被看護者Ｐに対して用いられる接触検知式、吐息圧力検知式、音声検知式であっても良い。
【００２５】
機器装着部５は、マットレス５０に横たわる被看護者Ｐが容易に届く位置であれば良いので、天板２から側板４までの範囲の外面２ａ，４ａの一部に設けられていても良いし、複数箇所に設けられていても良い。図１では、機器装着部５に面状ファスナを用いた例を示す。面状ファスナは、側板４から離れる方向に複数列設けても良いし、或いは、側板４に沿う方向に複数列設けても良い。機器装着部５は、用途に応じて載置する機器を容易に変更できるように、面状ファスナのほか、スナップ、ホック、クリップ、ねじ、粘着テープ、粘着性樹脂部材など、着脱可能でかつ安定性に優れた固定手段によって臨床機器を固定できるように設けられていても良い。
【００２６】
マットレス５０と接する天板２、側板４、及び底板３の内側２ｂ，４ｂ，３ｂには、滑止部材６が設けられている。滑止部材６は、マットレス５０に対して摩擦係数の高い部材でできており、機器装着部５に取り付けた臨床機器の位置がずれることを防止する。特に、図３に示すようにリクライニング機構を備えたベッドＢにクリップテーブル１を装着した場合、マットレス５０の上体部分５０ｃを起してもクリップテーブル１がずり落ちることを防止することができる。滑止部材６は、ゴム、ポリウレタン樹脂エラストマ、発砲ポリウレタンエラストマ、シリコーン樹脂エラストマのいずれでも良い。なお、滑止部材６は、クリップテーブル１がずれることを防止できれば良いので、マットレス５０に接する範囲の一部もしくは複数箇所に分けて設けられていても良い。また、接触面は、平坦な状態に限らず、いぼ状の突起を多数設けたり、波形の凹凸を設けたり、格子状の凸部を設けたりしても良い。
【００２７】
リクライニング機構付のベッドＢに横たわる被看護者Ｐの右手側に図１のクリップテーブル１を装着した状態を図３に示す。呼出装置のインターホン１２が機器装着部５に固定されており、ボタン式の呼出子機１１がこのインターホン１２上端に設けられたホルダ１２ａに装着されている。図３に示すように、リクライニング機構によってマットレス５０の上体部分５０ｃを起しても、インターホン１２や呼出子機１１が被看護者Ｐに対してずれることがない。したがって、被看護者Ｐは、呼出子機１１やインターホン１２の在り処がわかっているので、緊急時にパニックに陥ることなく落ち着いて操作することができる。
【００２８】
本発明に係る第２の実施形態の呼出子機２１について、図２及び図３を参照して説明する。図２に示す呼出子機２１は、被看護者Ｐが看護者を呼び出すために用いられる呼出装置の子機であって、天板２と底板３と側板４とスイッチ２２とを備える。天板２は、マットレス５０の表側５０ａに密着するように配置される。底板３は、マットレス５０の裏側５０ｂに密着するように配置される。側板４は、マットレス５０の厚さよりもやや狭い距離に天板２と底板３とを一体に連結している。
【００２９】
天板２及び底板３のマットレス５０に接する側となる内面２ｂ，３ｂには、滑止部材６が設けられている。滑止部材６は、マットレス５０に対して摩擦係数の高い部材であれば良いので、第１の実施形態で例示した、ゴム、ポリウレタン樹脂エラストマ、発砲ポリウレタンエラストマ、シリコーン樹脂エラストマのいずれでも良い。また、滑止部材６は、マットレス５０に接する側板４部分も含めた全面に設けても良いし、一部または複数箇所に分けて設けても良い。
【００３０】
スイッチ２２は、天板２の上面（外面）２ａに基部２２ａが粘着テープ２３で固定されており、操作部２４を有する先端部２２ｂが図３に示すように被看護者Ｐの口元に位置決めされている。スイッチ２２は、接触検知式であって、被看護者Ｐが操作部２４に触れることによって変化する静電容量を読取ることで作動する。スイッチ２２の基部２２ａに設けられた制御ボックス２５には、操作部２４の感度及び触れる間隔を調整するための制御回路が内蔵されており、摘み２６でそれぞれ調整できるようになっている。
【００３１】
スイッチ２２は、接触検知式の他、吐息圧力検知式、音声検知式、押しボタン式などでも良い。いずれの場合も、四肢の自由度が少ない重度の被看護者Ｐに適用できる。吐息圧力検知式のスイッチおよび音声検知式のスイッチの場合、口元にスイッチの先端部が配置される。また、接触検知式のスイッチ２２や押しボタン式のスイッチの場合、口元以外に被看護者Ｐが容易に動かすことのできる身体の一部に近い位置に配置することができる。
【００３２】
以上のように設けられた呼出子機２１は、マットレス５０を挟み込むことによってマットレス５０に固定されているので、図３に示すようにリクライニング機構を備えるベッドＢに適用して上体部分５０ｃを起したり寝かせたりした場合にも、被看護者Ｐの利用しやすい位置にスイッチ２２の操作部２４を保持することができる。したがって、四肢の自由度が少ない重度の被看護者Ｐであっても、常に利用しやすい位置に呼出子機２１のスイッチ２２の操作部２４があることで安心感が得られ、緊急時にもパニックに陥らずに操作することができる。
【００３３】
本発明に係る第３の実施形態のクリップテーブル３１について図４及び図５を参照して説明する。なお、図１に示す第１の実施形態のクリップテーブル１と同じ機能を有する構成要素については、同一の符号を付してその説明を省略する。
【００３４】
図４に示すクリップテーブル３１は、天板２と底板３とが調整機構３２によって連結されている。調整機構３２は、天板２と底板３との間の距離を変化させる。調整機構３２は、係合片３３と差込部３４と楔片３５とを備える。係合片３３は、天板２から底板３に向かって延びており、断面が鋸波形の係合部３３ａをマットレス５０に面した側に有している。差込部３４は、底板３から天板２に向かって係合片３３を囲う箱形筒状に延びており、断面が鋸波形の受部３４ａを係合部３３ａに面した内面に有している。
【００３５】
楔片３５は、図５に示すように、係合片３３が差込部３４に差し込まれて係合部３３ａと受部３４ａとが噛み合わさった状態で、係合片３３と差込部３４との間に生じる隙間に挿入される。楔片３５を差し込むことによって、係合部３３ａと受部３４ａとの嵌合が外れなくなるとともに、楔片３５を抜くことによって、係合片３３の差込部３４に対する差込量を鋸波形のピッチに応じて容易に調節することができる。
【００３６】
マットレス５０と接する天板２の下面（内面）２ｂ、底板の上面（内面）３ｂ、及び差込部３４の内側面３４ｂには、図５に示すように滑止部材６が設けられている。滑止部材６は、他の実施形態と同様にゴム、ポリウレタン樹脂エラストマ、発砲ポリウレタンエラストマ、シリコーン樹脂エラストマのいずれでも良い。
【００３７】
以上のように構成されたクリップテーブル３１は、次のようにしてマットレス５０に取り付けられる。まず、マットレス５０の側部５０ｄと差込部３４の内側面３４ｂとが接する状態で、マットレス５０の下に底板３を敷く。次に、差込部３４に係合片３３が挿入されるようにマットレス５０の上から天板２を押し当てる。マットレス５０の厚さよりも天板２と底板３の距離が近くなるように天板２を押さえ込んだ状態で、最後に楔片３５を差込部３４と係合片３３との隙間に挿入する。また、取外す場合は、楔片３５を抜き取り、天板２を動かすことで係合片３３の係合部３３ａが差込部３４の受部３４ａから容易に外れる。
【００３８】
このように、クリップテーブル３１は、係合部３３ａと受部３４ａとの噛合い量、すなわち天板２と底板３との距離を調整することができるので、厚さの異なるマットレス５０にも対応することができるとともに、天板２と底板３とがマットレス５０を挟み込む力を調節することができる。したがって、天板２に設けられた機器装着部５に固定された臨床機器を被看護者Ｐが利用しやすい位置に保持することができる。また、滑止部材６に逆らってマットレス５０を天板２と底板３との間に差し込む必要がないので、容易に装着することができる。
【００３９】
本発明に係る第４の実施形態のクリップテーブル４１について、図６を参照して説明する。なお、図１に示す第１の実施形態のクリップテーブル１または図４に示す第３の実施形態のクリップテーブル３１と同じ機能を有する構成要素については、同一の符号を付してその説明を省略する。
【００４０】
図６に示すクリップテーブル４１は、天板２と底板３との間の距離を変化させる調整機構４２が図４に示した第３の実施形態におけるクリップテーブル４１の調整機構４２と異なる。図６に示すクリップテーブル４１の調整機構４２は、第１締結片４３と第２締結片４４と植込みボルト４５と長孔４６と締付部材とを有する。
【００４１】
第１締結片４３は、天板２から底板３に向かって延びており、第２締結片４４は、底板３から天板２に向かって延びている。植込みボルト４５は、第１締結片４３と第２締結片４４とを重ね合わせた状態でマットレス５０に近い方、本実施形態では、底板３に設けられている。長孔４６は、第１締結片４３と第２締結片４４とを重ね合わせた状態でマットレス５０から遠い方、本実施形態では、第１締結片４３に設けられている。締結部材４７は、長孔４６に通された植込みボルト４５の先端４５ａ側から螺合され、第１締結片４３と第２締結片４４とを互いに固定する。
【００４２】
なお、締結部材４７を植込みボルト４５に締めこむ際に長孔４６の縁４６ａと局部的に接触しないように、第１締結片４３と締結部材４７との間にワッシャ４８を入れている。また、第１締結片４３の外側４３ａには、天板２の上面（外面）２ａと同様に機器装着部５が設けられている。本実施形態では、第２締結片４４がマットレス５０側になるように第１締結片４３と第２締結片４４とを重ね合わせたため、第１締結片４３に長孔４６を形成し、第２締結片４４に植込みボルト４５を設けたが、第１締結片４３がマットレス５０側になるように第１締結片４３と第２締結片４４を重ね合わせた場合は、長孔４６を第２締結片４４に設け、植込みボルト４５を第１締結片４３に設ける。
【００４３】
以上のように構成されたクリップテーブル４１は、次の手順でマットレス５０に装着される。まず、第２締結片とマットレス５０の側部５０ｄとが接する状態で底板３がマットレス５０の下に敷かれる。次に、長孔４６に植込みボルト４５を通して第１締結片４３と第２締結片４４を重ね合わせる。そして、マットレス５０の厚さよりも天板２と底板３との間の距離が近くなるように天板２をマットレス５０に押し付けた状態で、締結部材４７を植込みボルト４５に螺合して第１締結片４３と第２締結片４４とを固定する。
【００４４】
上述の手順以外に次の手順でも良い。予め第１締結片４３と第２締結片４４とを重ね合わせて天板２と底板３との距離が自由に変化する程度に締結部材４７を植込みボルト４５に螺合しておく。マットレス５０の厚さよりも天板２と底板３との間の距離が離れた状態でマットレス５０の縁にクリップテーブル４１を嵌める。そして、天板２と底板３との間の距離が近くなるように天板２及び底板３をマットレス５０に押し付けた状態で締結部材４７を締め込み、第１締結片４３と第２締結片４４とを固定する。
【００４５】
このように、図６に示すクリップテーブル４１は、調整機構４２によって天板２と底板３との間の距離を変化させることができるので、図１に示した第１の実施形態のクリップテーブル１が有する効果に加えて、図４に示した第３の実施形態のクリップテーブル３１が有する効果を得ることができる。
【００４６】
なお、第３及び第４の実施形態におけるクリップテーブル３１，４１の機器装着部５には、第１の実施形態におけるクリップテーブル１の機器装着部５に固定される臨床機器として例示したものを取り付けることができる。また、第３及び第４の実施形態におけるクリップテーブル３１，４１に設けた調整機構３２，４２を第２の実施形態における呼出子機２１の天板２と底板３との結合構造に適用しても良い。
【図面の簡単な説明】
【００４７】
【図１】本発明に係る第１の実施形態のクリップテーブルを示す斜視図。
【図２】本発明に係る第２の実施形態の呼出子機を示す斜視図。
【図３】図１のクリップテーブルと図２の呼出子機をマットレスに装着して使用する状態を示す斜視図。
【図４】本発明に係る第３の実施形態のクリップテーブルを示す分解斜視図。
【図５】図４のクリップテーブルの係合部断面を示す断面図。
【図６】本発明に係る第４の実施形態のクリップテーブルを示す斜視図。
【符号の説明】
【００４８】
１，３１，４１…クリップテーブル、２…天板、２ａ…外面（上面）、２ａ…内面（下面）、３…底板、３ｂ…上面（内面）、４…側板、４ａ…外面、４ｂ…内側、５…機器装着部、６…滑止部材、１１…呼出子機（臨床機器）、１２…インターホン（臨床機器）、２１…呼出子機、２２…スイッチ、２２ａ…基部、２２ｂ…先端部、２４…操作部、３２調整機構、３３…係合片、３３ａ…係合部、３４…差込部、３４ａ…受部、３５…楔片、４２…調整機構、４３…第１締結片、４３ａ…外側、４４…第２締結片、４５…植込みボルト、４５ａ…先端、４６…長孔、４７…締結部材、５０…マットレス、５０ａ…表側、５０ｂ…裏側
【図１】
2005073738.tif 000003
【図２】
2005073738.tif 000004
【図３】
2005073738.tif 000005
【図４】
2005073738.tif 000006
【図５】
2005073738.tif 000007
【図６】
2005073738.tif 000008